(57)【要約】      （修正有）【課題】径の相違するワイヤロープ等の紐状体の場合であっても適切に移動することができ、従来の施設への取り付けを簡素化することができる利用頻度の高いウインチを提供する。【解決手段】ワイヤロープ等の紐状体７を巻回すべく外周に溝の形成された巻回ドラム２と、巻回ドラムを正／逆回転駆動する駆動源とから構成され、一方よりワイヤロープ等の紐状体を溝に沿って取り込むとともに、他方よりワイヤロープ等の紐状体を取り出し移動するウインチにおいて、前記巻回ドラムは、巻回するワイヤロープ等の紐状体の径に対応すべくその溝部分で軸方向に沿って複数２ａ、２ｂに分割されている。【選択図】図３
2008222435.tif 000002
【特許請求の範囲】
【請求項１】
ワイヤロープ等の紐状体を巻回すべく外周に溝の形成された巻回ドラムと、巻回ドラムを正／逆回転駆動する駆動源に連結された駆動軸とから構成され、一方よりワイヤロープ等の紐状体を溝に沿って取り込むとともに、他方よりワイヤロープ等の紐状体を取り出し移動するウインチにおいて、前記巻回ドラムは、巻回するワイヤロープ等の紐状体の径に対応すべくその溝部分で軸方向に沿って複数に分割されていることを特徴とするウインチ。
【請求項２】
ワイヤロープ等の紐状体を巻回すべく外周に溝の形成された巻回ドラムから構成され、一方よりワイヤロープ等の紐状体を溝に沿って取り込むとともに、他方よりワイヤロープ等の紐状体を取り出し移動するウインチにおいて前記巻回ドラムは、その駆動軸部分で径方向に分割すべく構成されていることを特徴とするウインチ。
【請求項３】
前記巻回ドラムのワイヤロープ等の紐状体の取り込む側を巻回ドラム方向に押圧しながらその取り込み移動を補助するための移動補助手段、又は／及び前記巻回ドラムの外周には、ワイヤロープ等の紐状体が溝に沿って巻回されている部分に密接して設けられた長尺状の押圧移動体が設けられている請求項１又は２に記載のウインチ。
【発明の詳細な説明】
【技術分野】
【０００１】本発明は、径の相違するワイヤロープ等の紐状体を移動し、駆動軸に自在に取り付けできるウインチに関する。
【背景技術】
【０００２】例えば、ワイヤロープを無端状に移動するウインチを使用する屋外の施設の一例としては、野球、サーカー等の球技施設、ゴルフ場又はその練習場がある。これらの施設で使用される防球用のネットは支柱間に吊張されたワイヤロープをウインチで無端状に移動することで、支柱に沿ってネットを昇降移動又は開閉移動している。
また、他の使用方法としては、建設現場（特に高層建設現場）での安全対策用のシート、又はダム建設や高速道路における防霧用や防雪用のシートの移動用として使用されている。【０００３】また、ワイヤロープを無端状に移動するウインチを使用する屋内の施設の一例としては、学校の体育館又は大空間部を有する多目的の室内球技場がある。これらの施設では、間仕切り用ネット又は防球用のネットの開閉移動用として使用している。【０００４】上記屋内で使用する防球用のネット又は間仕切り用ネットは、天井の一方の側壁より他方の側壁に沿って吊張されたワイヤロープをウインチを用いて移動することで該ワイヤロープに間接的又は直接的に設けられたネットを開閉移動したり、又は天井の円弧部に沿って吊張されたワイヤロープをウインチを用いて移動することで該ワイヤロープに間接的又は直接的に設けられたネットを昇降移動している。【０００５】上記屋外で使用するワイヤロープは、風の影響を受けやすく、特にネット／シートが設けられている施設においては風の影響が強く受け、場合によっては支柱が損傷することもある。従って、風の強い日にはウインチを用いてワイヤロープを移動しネット等速やかに収納しなければならない。【０００６】また、上記屋内施設では、ネットの荷重や、移動する距離に応じて使用するワイヤロープの径が相違する。
【発明が解決しようとする課題】
【０００７】しかしながら、上記従来のウインチは、径の相違するワイヤロープを移動する場合においては、それぞれ別のウインチを使用しなければならず、例えば屋内において一旦設置した装置において、安全性の為に径の相違するワイヤロープへ変更する場合は、すべてのウインチを取り替える必要があり、その取り替え作業が煩雑で、作業の遅延をまねくおそれがある。
【０００８】また、上記ワイヤロープの変更において、ウインチを全て取り替えると、そのウインチの費用及び取り替え作業にかかる費用の負担が大きいという欠点があった。
【０００９】また、ウインチの巻回ドラムに設けられている溝は、略Ｖ字状に形成されているために、ワイヤロープの幅によっては溝で挟持しにくい場合があり巻取ドラムの回転駆動をスームズにワイヤロープに伝えることができないという欠点があった。
【００１０】そこで、本発明は、径の相違するワイヤロープ等の紐状体の場合であっても同一のウインチで適切にワイヤロープ等の紐状体を移動することができ従来の施設への取り付けを簡素化することができる利用頻度の高いウインチを提供することを課題とする。
【課題を解決するための手段】
【００１１】本発明は上記課題を解決するためのウインチの第１の手段は、ワイヤロープ等の紐状体を巻回すべく外周に溝の形成された巻回ドラムと、巻回ドラムを正／逆回転駆動する駆動源とから構成され、一方よりワイヤロープ等の紐状体を溝に沿って取り込むとともに、他方よりワイヤロープ等の紐状体を取り出し移動するウインチにおいて、前記巻回ドラムは、巻回するワイヤロープ等の紐状体の径に対応すべくその溝部分で軸方向に沿って複数に分割されていることを特徴とする。
【００１２】本発明の第２の手段は、ワイヤロープ等の紐状体を巻回すべく外周に溝の形成された巻回ドラムとから構成され、一方よりワイヤロープ等の紐状体を溝に沿って取り込むとともに、他方よりワイヤロープ等の紐状体を取り出し移動するウインチにおいて前記巻回ドラムは、その駆動軸部分で径方向に分割すべく構成されていることを特徴とする。
【００１３】また、具体的には、巻回ドラムの正／逆回転駆動に応じて、ワイヤロープ等の紐状体の取り込む側を巻回ドラム方向に押圧しながらその取り込み移動を補助するための移動補助手段、又は／及び巻回ドラムの外周には、ワイヤロープ等の紐状体が溝に沿って巻回されている部分に密接して設けられた長尺状の押圧移動体が設けられていることである。
【発明の作用・効果】
【００１４】本発明のウインチは、先ずワイヤロープ等の紐状体を巻回ドラムに接する位置に移動し、駆動軸を駆動して巻回ドラムを回転することにより巻回ドラムの一方より外周の溝に沿ってワイヤロープ等の紐状体を巻回するように移動して巻回ドラムの他方より取り出し移動する。
【００１５】この際、巻回ドラムは、その溝部分で軸方向に沿って複数に分割されているために、溝に接するワイヤロープ等の紐状体の径に応じてその溝の幅を拡大／縮小調整することができ、あらゆる種類の径のワイヤロープ等の紐状体を溝に確実に接するようにして移動することができる。
【００１６】従って、従来のウインチのようにワイヤロープ等の紐状体の径に応じてそれぞれ別のウインチを用意することなく、１台のウインチで対応することができるために、一旦設置した装置においては、一定期間使用後に安全性等のために径の相違する紐状体に取り替えても、ウインチを取り替えることなく巻回ドラムの溝部分の径を拡大するだけで、容易に紐状体に対応することができる。
【００１７】このため、紐状体の変更に伴う作業時間、費用の面においても従来に比し格段に減少（削減）することができる。
【００１８】また、紐状体に弛み／撓みが発生する場合は、溝に沿って巻回されている部分に密接して設けられた長尺状の押圧移動体を設けることで、押圧移動体が紐状体を巻回ドラムの溝側に押圧しながら巻回ドラムに沿って移動することで紐状体の弛み／撓みの発生を抑え、又は巻回ドラムの正／逆回転駆動時それぞれにおいて、巻回ドラムの外周の一部／又は近傍に移動補助手段を設けることにより、紐状体の巻回ドラムへの取り入れ側を押圧し、巻回ドラムより取り出し側をフリーにすることで紐状体の弛み／撓みの発生を抑え、ワイヤロープ等の紐状体を確実に移動することができる。
【００１９】また、巻回ドラムは、その駆動軸部分で径方向に分割すべく構成することで、例えば従来設置されている装置のウインチの駆動軸に、分割した巻回ドラムをあらためて取り付けワイヤロープ等の紐状体を該巻回ドラムの外周の溝に巻回するだけで、従来のように装置全体又はウインチを取り外すような大がかりな作業を必要とすることなく、容易に設置することができ、設置作業時間の短縮と費用の削減を計ることが可能となった。
【００２０】この際も、上記と同様に巻回ドラムの外周の溝に沿って巻回されている長尺状の押圧移動体を設けることや、巻回ドラムの外周の一部／又は近傍に移動補助手段を設けることで、上記と同様に、紐状体の弛み／撓みの発生を抑えワイヤロープ等の紐状体を確実に移動することができるという作用効果を得ることが可能となる。
【００２１】このように、本発明は、１台のウインチで径の相違するワイヤロープ等の紐状体に自在に対応することができ、経済的であるとともに、その利用範囲を格段に広げることができる。
【００２２】また、従来のウインチの駆動軸を利用して巻回ドラムを取り付けすることができるために、その設置が設置が容易であるとともに、従来の装置を利用することが可能である。
【発明を実施するための最良の形態】
【００２３】以下、本発明のウインチの一実施例について下記各図面を用いて説明する。【００２４】図１乃至図７はウインチの構成についての図面である。
図１は本発明のウインチに使用する巻回ドラムの２分割状態を示す概略説明図であり、図２は図１の巻回ドラムが取り付けられたウインチを示す概略説明図であり、図３は図１の溝部分が拡大した状態を示す概略説明図であり、図４は巻回ドラムの３分割状態を示す概略説明図であり、図５は図４の溝部分が拡大した状態を示す概略説明図であり、図６は駆動軸部分で巻回ドラムを２分割した状態を示す概略説明図であり、図７は図６の巻回ドラムが取り付けられたウインチを示す概略正面図であり、図８は巻回ドラムの外周に移動補助体６設けた状態を示す概略説明図である。【００２５】本発明のウインチ１はウインチ本体１Ａに設けられ、回転駆動（手動電動又はアシスト電源で回転駆動する構成等その駆動手段は目的に応じて自在に選択することができる）する駆動軸１２と、該駆動軸１２に設けられ、外周側面に断面略Ｖ字状の溝２Ａが形成された略円形状の巻回ドラム２と、一方より該巻回ドラム２へ紐状体７を取り入れ、又他方より紐状体７を巻回ドラム２より取り出すのを案内補助するために取り入れ側と取り出し側とにそれぞれ別々に並行位置に回転自在に軸支された２個の案内ローラー３と、該案内ローラー３間に設けられ案内ドラム３と挟持した状態で紐状体７をルート案内する案内ガイド４とから構成されている。【００２６】上記巻回ドラム２は、溝２Ａの底面部分（幅Ｍ１）を軸方向に沿って２分割（２ａ、２ｂ）され、巻回ドラム２の中途部の３点（３点に限定されるものでなく２点でも４点でも可能である）に調整ネジ１１を設け、該調整ネジ１１により分割幅（Ｍ２）を調整するとともに巻回ドラム２全体を固定している。【００２７】尚、上記巻回ドラム２の溝２Ａの底面部分（幅Ｍ１）での分割は２分割に限定されるものでなく、例えば溝２Ａの両側面と底面部分との３分割（２ａ、２ｂ、２ｃ）部分することで、上記と同様に溝２Ａの幅（Ｍ３）を拡大することも可能である。要は、溝２Ａ部分が安定した状態で拡大することができるならその分割方法は特に限定するものでない。【００２８】また、本発明のウインチ１はウインチ本体部分についての特徴を明記したもので、駆動源（特に巻回ドラム２の回転駆動が電動の場合）については通常使用されている駆動源を使用する。従って、ブレーキ機構に電磁ブレーキ等を使用、或いはクラッキ機構等の使用について、又は安全性のために補助ブレーキを設けることも、公知の技術を使用する。【００２９】前記紐状体７（ワイヤロープ／通常の強化ロープ／外周にビニールの設けられた線状体等）は、前記案内ガイド４の一方から案内ガイド４に沿って巻回ドラム２側に取り入れられ（取り入れ側）、巻回ドラム２を回転駆動により溝２Ａに沿って設けられ、回転駆動に沿って移動し、再度案内ガイド４に沿って他方から取り出される（取り出し側）こととなる。【００３０】本発明のウインチ１は上記のように構成され、次に上記ウインチ１の作用について明記する。【００３１】先ず、屋内外で使用する装置におけるワイヤロープ等の紐状体７の径を確認した後、使用するウインチ１の巻回ドラム２の溝２Ａ部分の径（Ｍ１）を適切な径（Ｍ２）に調整ネジ１１を用いて調整する。【００３２】その後、上記ウインチ１をそれぞれ設置し、ワイヤロープ等の紐状体７を巻回ドラム２に巻回して吊り張りする。一定期間使用した後、安全性等のために径の相違する紐状体７を変更する場合が生じると、設置したウインチ１はそのままで、調整ネジ１１を用いて巻回ドラム２の溝２Ａ部分の径（Ｍ１）のみを拡大して調整するだけで、径の相違する紐状体７を容易に変更することができる。【００３３】また、屋内の場合において、複数の径の相違する紐状体７を用いて空間部の間仕切り等を行う場合であっても、従来のように複数の種類のウインチを用意することなく、巻回ドラム２の溝２Ａ部分の径（Ｍ１）のみを調整するだけで、対応することができるために、ウインチ１を設置後にも、径の相違する紐状体７に変更することが可能となり、設置作業が簡易となり、あらゆる対応が可能となる。【００３４】従って、１種類のウインチ１であらゆる径の相違する紐状体７に最適な溝幅で対応することができる。【００３５】また、紐状体７の径の相違や種類により、紐状体７に弛み／撓みが発生しスムーズな移動ができない場合は、巻回ドラム２への紐状体７の取り入れ側／紐状体７の取り出し側にそれぞれ移動補助体６を設けることで対応する。
この場合、紐状体７のウインチ１への取り入れ側は、回転又は揺動する移動補助体６で紐状体７を巻回ドラム２の溝２Ａ側へ押圧しながら取り入れ移動し、紐状体７の取り出し側は、回転又は揺動する移動補助体６が巻回ドラム２より離反し巻回ドラム２の溝２Ａ側への押圧が解除されてフリーの状態となり紐状体７はスムーズに取り出されることとなる。また、移動補助体６の他実施例としては、巻回ドラム２の一部に支点６Ａを介して両端側揺動するように設けることで、上記と同様の作用効果を得ることも可能である。【００３６】また、紐状体７の弛み／撓みの発生に対しては上記のような移動補助体６以外に、紐状体７を巻回ドラム２の外周の溝２Ａに押しつけるローラーチェーン等からなる押圧移動体８を設けることも可能である。この場合は、巻回ドラム２の一方の回転方向に押圧移動体８が引っ張られた状態となり紐状体７の巻回ドラム２への取り込み側が押圧された状態となり、紐状体７を巻回ドラム２の周面に押圧した状態で移動することができるので、紐状体７を移動中の力のロスがなく適切な移動を可能とする。【００３７】次に、本発明のウインチの他の実施例について説明する。【００３８】本実施例のウインチ１は、ウインチ本体１Ａに設けられ、回転駆動する駆動軸１２を取り付けするための孔１２Ｃと、該駆動軸１２に取り付けるべく外周側面に断面略Ｖ字状の溝２Ａが形成された略円形状の巻回ドラム２と、一方より該巻回ドラム２へ紐状体７を取り入れ、又他方より紐状体７を巻回ドラム２より取り出すのを案内補助するために取り入れ側と取り出し側とにそれぞれ別々に並行位置に回転自在に軸支された２個の案内ローラー３と、該案内ローラー３間に設けられ案内ドラム３と挟持した状態で紐状体７をルート案内する案内ガイド４とから構成されている。【００３９】上記巻回ドラム２は、中央の孔１２Ｃ部分で上下に２分割（上部２Ｈ、下部２Ｇ）され、該分割により駆動軸１２に自在に取り付けることが可能である。【００４０】尚、巻回ドラム２の分割方法は上記２分割に限定されるものでなく設置場所、巻回ドラム２の材質又は形状に応じて３分割又はそれ以上も可能である。【００４１】本発明のウインチ１は上記のような構成よりなり、次にその作用について明記する。【００４２】先ず本発明のウインチ１は、通常はウインチ１として各施設に設置し、紐状体７を案内ローラー３と案内ドラム３とで挟持した状態でウインチ本体１Ａに取り入れ、巻回ドラム２の外周の溝２Ａに沿って巻回移動し、他方より案内ローラー３と案内ドラム３とで挟持した状態でウインチ本体１Ａより取り出し移動する。【００４３】本発明のウインチ１はウインチ本体１Ａを主として使用することが可能であるために、例えば、他の施設に設置されているウインチの駆動軸に取り付ける場合について説明する。【００４４】先ず、巻回ドラム２部分を分割し駆動軸をウインチ本体１Ａの孔１２Ｃに挿入し、その後巻回ドラム２部分を取り付けることで、従来のウインチの駆動軸を使用することが可能となる。【００４５】この場合も上記と同様に、紐状体７を巻回ドラム２に巻回して吊り張りすることが可能となる他、紐状体７に弛み／撓みが発生した場合は、巻回ドラム２の外周に押圧移動体８を設けたり、巻回ドラム２への紐状体７の取り入れ側に移動補助体６を設けることで対応することができる。【００４６】このように、本発明のウインチ１は、従来の装置を変更することなくウインチの駆動軸のみ使用して紐状体７を移動することができるために、設置にかかる作業時間を格段に短縮することができる。【００４７】また、従来のウインチが使用されている施設において、従来のウインチに本発明のウインチ１を連結して従来のウインチ機能をアシストすることができ、その用途を格段に向上することができる。
【図面の簡単な説明】
【００４８】
【図１】本発明のウインチに使用する巻回ドラムの２分割状態を示す概略説明図
【図２】図１の巻回ドラムが取り付けられたウインチを示す概略説明図
【図３】図１の溝部分が拡大した状態を示す概略説明図
【図４】巻回ドラムの３分割状態を示す概略説明図
【図５】図４の溝部分が拡大した状態を示す概略説明図
【図６】駆動軸部分で巻回ドラムを２分割した状態を示す概略説明図
【図７】図６の巻回ドラムが取り付けられたウインチを示す概略正面図
【図８】巻回ドラムの外周に移動補助体６設けた状態を示す概略説明図
【符号の説明】
【００４９】１…ウインチ、２…巻回ドラム、２Ａ…溝、３…案内ガイド、６…移動補助体、７…紐状体、８…押圧移動体、１２…駆動軸、
【図１】
2008222435.tif 000003
【図２】
2008222435.tif 000004
【図３】
2008222435.tif 000005
【図４】
2008222435.tif 000006
【図５】
2008222435.tif 000007
【図６】
2008222435.tif 000008
【図７】
2008222435.tif 000009
【図８】
2008222435.tif 000010